(57)【要約】      （修正有）【課題】スリーブの係制環壁に凹設された両環槽と軸体に容置されたスチールボールの伸縮孔がドライバの挿入や抜き取りを受け、相対係制や双方向の抜き取りを達成する快速継ぎ手構造を提供する。【解決手段】快速継ぎ手構造であって、中空スリーブ、二リング、弾性素子５０、軸体６０、スチールボール６１、からなり、スリーブは内壁両側に、それぞれ、大きい径の定位環壁３１と係制環壁３２を凸設し、定位環壁３１と係制環壁３２間に、両端が停止壁６２１を有する容置槽３３を凹設し、係制環壁３２の内壁面所定箇所に二環槽を凹設し、軸体６０の外環の適当な箇所に、適段で、且つ、両端に、停止壁６２１を有する導環段６２を凹設する。導環段６２は両側にそれぞれ、枢設部６３，６４を形成し、枢設部６３、６４の環面の適当な箇所に伸縮孔６４１を凹設して、スチールボール６１を容置する。【選択図】図３
0003151636.tif 000002
【実用新案登録請求の範囲】
【請求項１】
快速継ぎ手構造であって、中空スリーブ、二リングと弾性素子を有する軸体からなり、前記スリーブは、内壁両側にそれぞれ大きい径の定位環壁と係制環壁を凸設し、前記定位環壁と前記係制環壁間に両端が停止壁を有する容置槽を凹設し、前記係制環壁の内壁面所定箇所に環槽を凹設し、辺縁に沿って導縁を形成し、前記軸体の外環の適当な箇所に適段で、且つ、両端に停止壁を有する導環段を凹設し、前記導環段は両側にそれぞれ枢設部を形成し、前記枢設部の環面の適当な箇所に伸縮孔を凹設してスチールボールを容置し、上述の構造により、ドライバがワンタッチカップラーに使用される時、前記スリーブの係制環壁に凹設された環槽と前記軸体に容置されたスチールボールの伸縮孔により、前記ドライバの挿入や抜き取りを受け、前記環槽に推入するか、或いは、前記導縁に沿って容置槽に進入して、係制や双方向の抜き取り設計を形成し、カプラーの使用上の便利性、快速性を大幅に向上させ、且つ、構成素子が更に簡潔で、組み立て時間とコストを減少させることを特徴とする快速継ぎ手構造。
【請求項２】
前記スリーブの係制環壁内壁環槽はどちらも半弧槽状であることを特徴とする請求項１に記載の快速継ぎ手構造。
【請求項３】
前記軸体は内部に六角形の枢孔を有することを特徴とする請求項１に記載の快速継ぎ手構造。
【請求項４】
前記軸体の伸縮孔は円弧状であることを特徴とする請求項１に記載の快速継ぎ手構造。
【請求項５】
快速継ぎ手構造であって、中空スリーブ、二リングと弾性素子を有する軸体、および、スリーブからなり、前記中空スリーブは一側内壁に小さい径の定位環壁を環設し、もう一側に大きい径で、容槽を有する係制環壁を形成して前記スリーブを挿入し、前記スリーブと前記容槽は、外環壁、および、内環壁の相対位置に、それぞれ、凸リブと凹孔を環設し、前記係制環壁の内壁面の適当な箇所に二環槽を凹設し、前記スリーブの凸リブと容槽の凹孔が係制して、前記スリーブ中で固定されて一体になり、且つ、前記軸体の外環の適当な箇所に、適段で、両端が停止壁を有する導環段を凹設し、前記導環段は両側にそれぞれ、枢設部を形成し、前記枢設部の環面の適当な箇所に伸縮孔を凹設して、スチールボールを容置し、上述の構造により、ドライバが前記快速継ぎ手に挿入、或いは、抜き出す時、最適な係制状態と双方向の抜き出しを達成することを特徴とする快速継ぎ手構造。
【請求項６】
前記スリーブの係制環壁内壁環槽はどちらも半弧槽状であることを特徴とする請求項５に記載の快速継ぎ手構造。
【請求項７】
前記軸体は内部に六角形の枢孔を有することを特徴とする請求項５に記載の快速継ぎ手構造。
【請求項８】
前記軸体の伸縮孔は円弧状であることを特徴とする請求項５に記載の快速継ぎ手構造。
【請求項９】
快速継ぎ手構造であって、中空スリーブ、二リングと弾性素子を有する軸体からなり、前記中空スリーブは内壁両側に大きい径の定位環壁と係制環壁を凸設し、前記定位環壁と前記係制環壁間に両端が停止壁を有する容置槽を形成し、前記係制環壁の内壁面の所定箇所に環槽を設置し、辺縁は導縁を形成し、且つ、前記軸体の外環の適当な箇所は、適段で、両端が停止壁を有する導環段を凹設し、前記導環段は両側にそれぞれ枢接部を形成し、一枢接部の環面の適当な箇所に伸縮孔を凹接して、スチールボールを容置し、且つ、前記軸体の内部に導斜停止辺を設置して容置室を形成すると共に、復位弾性素子、固定ピン、および、軸スリーブを前記容置室に設置し、前記固定ピンは一側の端縁に導斜面を設置し、前記軸スリーブの両側はそれぞれ、頭部を有する定位槽段、および、磁性吸着する定位部を有し、前記定位部の端縁は導斜辺を有し、丁度、前記軸体の伸縮孔下方に位置し、ドライバや各種工具棒が快速継ぎ手に接続される時、前記軸体内の軸スリーブが末端に磁性吸着する導斜辺を有する定位部を設置し、前記伸縮孔下方に位置する設計により、前記工具棒の端縁辺、および、前記定位部の導斜辺が丁度、前記伸縮孔と相対して、前記スチールボールを置設する容置空間を形成し、前記工具棒を前記軸体に挿入して、前記定位部に吸着するか、或いは、前記復位弾性素子と前記定位槽段に沿って弾性作用を形成し、内向けの係制状態を形成し、快速継ぎ手が各式工具棒、或いは、ドライバの係制、或いは、引き抜きに使用されても、最適の使用状態を達成することを特徴とする快速継ぎ手構造。
【請求項１０】
前記スリーブの係制環壁内壁環槽はどちらも半弧槽状であることを特徴とする請求項９に記載の快速継ぎ手構造。
【請求項１１】
前記軸体は内部に六角形の枢孔を有することを特徴とする請求項９に記載の快速継ぎ手構造。
【請求項１２】
前記軸体の伸縮孔は円弧状であることを特徴とする請求項９に記載の快速継ぎ手構造。
【請求項１３】
快速継ぎ手構造であって、中空スリーブ、二リングと弾性素子を有する軸体、スリーブからなり、前記中空スリーブは一側内壁に小さい径の定位環壁を環設し、もう一側に大きい径で、容槽を有する係制環壁を形成して前記スリーブを挿入し、前記スリーブと前記容槽は、外環壁、および、内環壁の相対位置に、それぞれ、凸リブと凹孔を環設し、前記スリーブの内壁面の適当な箇所に二環槽を凹設し、前記スリーブの凸リブと容槽の凹孔が係制して、前記スリーブ中で固定されて一体になり、且つ、前記軸体の外環の適当な箇所に、適段で、両端が停止壁を有する導環段を凹設し、前記導環段は両側にそれぞれ、枢設部を形成し、前記枢設部の環面の適当な箇所に伸縮孔を凹設して、スチールボールを容置し、もう一つの枢接部は所定箇所に、リングと適合するスロットを環設し、前記軸体が前記スリーブ中で双方向に作動する時、各種ドライバや工具棒が前記快速継ぎ手に円滑に係制、或いは、抜き出すことができ、ドライバを前記快速継ぎ手に挿入したり、引き出す時に、最適な係制状態と双方向の抜き出しを達成することを特徴とする快速継ぎ手構造。
【請求項１４】
前記スリーブの係制環壁内壁環槽はどちらも半弧槽状であることを特徴とする請求項１３に記載の快速継ぎ手構造。
【請求項１５】
前記スリーブの内壁の両環槽は、それぞれ、半弧槽状と１/４の弧槽状であることを特徴とする請求項１３に記載の快速継ぎ手構造。
【請求項１６】
前記軸体は内部に六角形の枢孔を有することを特徴とする請求項１３に記載の快速継ぎ手構造。
【請求項１７】
前記軸体の伸縮孔は円弧状であることを特徴とする請求項１３に記載の快速継ぎ手構造。
【請求項１８】
快速継ぎ手構造であって、中空スリーブ、二リングと弾性素子を有する軸体、スリーブからなり、前記中空スリーブは一側内壁に小さい径の定位環壁を環設し、もう一側に大きい径で、容槽を有する係制環壁を形成して前記スリーブを挿入し、前記スリーブと前記容槽は、外環壁、および、内環壁の相対位置に、それぞれ、凸リブと凹孔を環設し、前記スリーブの内壁面の適当な箇所に環槽を凹設し、外向けに回避槽を形成し、前記スリーブの凸リブと容槽の凹孔が係制して、前記スリーブ中で固定されて一体になり、且つ、前記軸体の外環の適当な箇所に、適段で、両端が停止壁を有する導環段を凹設し、前記導環段は両側にそれぞれ、枢設部を形成し、前記枢設部の環面の適当な箇所に伸縮孔を凹設して、スチールボールを容置し、もう一つの枢接部は所定箇所に、リングと適合するスロットを環設して弾性素子を推し、前記リングを有する前記軸体が前記スリーブ中で双方向に作動する時、前記スチールボールを容設する伸縮孔が前記環槽か前記回避槽中で制限されて、各種ドライバや工具棒が前記快速継ぎ手に円滑に係制、或いは、抜き出すことができ、ドライバを前記快速継ぎ手に挿入したり、引き出す時に、最適な係制状態と双方向の抜き出しを達成することを特徴とする快速継ぎ手構造。
【請求項１９】
前記スリーブの内壁環槽は半弧槽状であることを特徴とする請求項１８に記載の快速継ぎ手構造。
【請求項２０】
前記軸体は内部に六角形の枢孔を有することを特徴とする請求項１８に記載の快速継ぎ手構造。
【請求項２１】
前記軸体の伸縮孔は円弧状であることを特徴とする請求項１８に記載の快速継ぎ手構造。
【請求項２２】
前記スリーブの回避槽は斜面状であることを特徴とする請求項１８に記載の快速継ぎ手構造。
【請求項２３】
快速継ぎ手であって、快速継ぎ手構造であって、中空スリーブ、二リングと弾性素子を有する軸体、からなり、前記中空スリーブは内壁両側に、それぞれ、大きい径の定位環壁と係制環壁を凸設し、前記定位環壁と前記係制環壁間に、両端が停止壁を有する容置槽を凹設し、前記係制環壁の内壁所定箇所に環槽を凹設し、辺縁に沿って導縁を形成し、且つ、前記軸体の外環の適当な箇所に、適段で、両端に停止壁を有する導環段を凹設し、前記導環段は両側にそれぞれ、枢設部を形成し、前記枢設部の環面の適当な箇所に伸縮孔を凹設して、スチールボールを容置し、且つ、前記軸体は、トルク装置と使用することができ、前記トルク装置は、殻座、軸棒、ローター、定位素子、および、蓋、からなり、前記殻座の一側中心に六角形の接続棒を延設し、伝動工具の六角口を定位し、もう一側は中心に凸柱を有する容置槽と、前記軸棒の一側に凹孔を有する推動ブロックが枢接し、前記容置槽の外周は接続ブロックと制限口を有し、前記接続ブロックの辺縁はスロットを凹設し、前記軸棒のもう一側は前記軸体を結合し、前記ローターは一側に弧形ブロック、および、制限口を設置し、もう一側は端縁に沿って、導辺を設置する凸部を有し、中心に推動空間を形成し、且つ、中心はスリーブ孔と軸棒を設置して、前記推動ブロック上に抵設し、前記定位素子は一側にスロットを有する翼部を設置し、もう一側はスロットを有する環段を延伸し、中心にスリーブ孔を有して前記軸棒と接続し、前記定位素子の両翼部が前記ローターの両制限口で制限されると共に、両弧形ブロック辺に抵止し、前記殻座の容置槽中に置設され、前記翼部のスロットが前記接続ブロックのスロットと接続し、C字型リングにより定位され、前記ローターが前記殻座と前記定位素子間で定位し、前記定位素子と前記ローター間は弾性素子を設置し、前記ローターの両ブロックが前記弾性素子の弾性作用を受けて、前記容置槽外へ突出し、前記蓋は内壁両側に回避槽を有して、前記ローターのブロックを回避し、且つ、前記蓋中心はスリーブ孔を設置して、前記軸棒と前記殻座が結合し、且つ、前記定位素子の環段が前記蓋のスリーブ孔から突出して、C字型リングと共に、スロット中に設置されて定位し、上述の構造により、前記トルク装置が前記伝動工具上に設置されて、前記軸体と各種ドライバが固定作業を実行する時、前記軸棒の推動ブロックは前記弾性素子の作用下で、前記ローターの推動空間中で制限され、前記ドライバが前記伝動工具の高速回転の作用下で障害物に遭ったり、固定作業を継続する時、前記軸棒が後ろ向けの作用を生成して、前記弾性素子が前記推動ブロックを推し、前記推動ブロックが前記推動空間中で、前記弾性素子の弾力を受けて、前記導辺に沿って、前記凸部に滑移して、連続空転状態を生成し、前記ドライバが前記伝動工具の瞬間トルクを受けることによる変形、或いは、損壊の状況を防止し、空転防止の効果を達成することを特徴とする快速継ぎ手。
【請求項２４】
前記スリーブの内壁環槽は半弧槽状であることを特徴とする請求項２３に記載の快速継ぎ手構造。
【請求項２５】
前記軸体は内部に六角形の枢孔を有することを特徴とする請求項２３に記載の快速継ぎ手構造。
【請求項２６】
前記軸体の伸縮孔は円弧状であることを特徴とする請求項２３に記載の快速継ぎ手構造。
【考案の詳細な説明】
【技術分野】
【０００１】
本考案は、快速継ぎ手構造に関するものであって、スリーブの係制環壁に凹設された二環槽と軸体に容置されたスチールボールの伸縮孔によりドライバーの挿入や抜き取りを受け、係制や双方向の抜き取りを形成する設計に関する。
【背景技術】
【０００２】
図１、図２で示されるように、一般に、ドライバー１０に接続されるカプラー２０は、外環に伸縮孔２１１を有する軸体２１を有し、伸縮孔２１１中にスチールボール２２を設置する。軸体２１外環は固定された停止リブ２１２を設置すると共に、外周に弾性素子２３を設置し、凹斜面２４１を設置するスリーブ２４は停止リブ２１２の抵止を受ける。棒状槽環１０１を有するドライバ１０をカプラー２０内に挿入したいとき、スリーブ２４は単一の弾性素子２３により内向けに推され、スチールボール２２は、スリーブ２４の凹斜面２４１内に進入して、ドライバ１０が瞬間的に推入され、弾性素子２３の弾力回復により、スチールボール２２が伸縮孔２１１に復位して、棒状槽環１０１内で係制状態を形成する。しかし、通常、スリーブ２４を押すと、弾性素子２３の単一方向の推力作用だけに依存して、ドライバ１０を接続し、スリーブ２４を繰り返し押圧して、ドライバ１０を取り出したり、交換したりするので、ドライバ１０の接続に制限を受け、快速でなく、不便である。
【考案の概要】
【考案が解決しようとする課題】
【０００３】
本考案の目的は、快速継ぎ手構造を提供し、スリーブの係制環壁に凹設された二環槽と軸体に容置されたスチールボールの伸縮孔によりドライバーの挿入や抜き取りを受け、係制や双方向の抜き取りを形成する設計で、ドライバの快速継ぎ手への挿入、抜き取りが、容易で、使用が便利であり、カプラーの快速性を大幅に向上させ、構成素子が更に簡潔で、組み立て時間とコストを減少させることにある。
【課題を解決するための手段】
【０００４】
本考案の快速継ぎ手構造は、中空スリーブ、二リング、弾性素子、軸体、スチールボール、からなり、スリーブは内壁両側に、それぞれ、大きい径の定位環壁と係制環壁を凸設し、定位環壁と係制環壁間に、両端が停止壁を有する容置槽を凹設し、係制環壁の内壁面所定箇所に二環槽を凹設し、軸体の外環の適当な箇所に、適段で、且つ、両端に、停止壁を有する導環段を凹設する。導環段は両側にそれぞれ、枢設部を形成し、枢設部の環面の適当な箇所に伸縮孔を凹設して、スチールボールを容置し、上述の構造により、スリーブの係制環壁に凹設された両環槽と軸体に容置されたスチールボールの伸縮孔がドライバの挿入や抜き取りを受け、相対係制や双方向の抜き取りを達成する。
【考案の効果】
【０００５】
本考案により、ドライバを快速継ぎ手に挿入したり、抜き取る時、使用が便利で、カプラーの快速性を大幅に向上させ、構成素子が更に簡潔で、組み立て時間とコストを減少させることができる。
【図面の簡単な説明】
【０００６】
【図１】公知の断面図である。
【図２】公知の使用状態断面図である。
【図３】本考案の立体分解図である。
【図４】本考案の組み合わせ断面図である。
【図５】本考案の組み合わせ断面と使用状態図である。
【図６】本考案の実施例による立体分解図である。
【図７】本考案の実施例による組み合わせ断面図である。
【図８】本考案の実施例による組み合わせ断面と使用状態図である。
【図９】本考案のもう一つの実施例による組み合わせ断面図である。
【図１０】本考案のもう一つの実施例による組み合わせ断面図である。
【図１１】本考案のもう一つの実施例による組み合わせ断面と使用状態図である。
【図１２】本考案のもう一つの実施例による組み合わせ断面と使用状態図である。
【図１３】本考案のもう一つの実施例による組み合わせ断面と使用状態図である。
【図１４】本考案の更にもう一つの実施例による組み合わせ断面図（１）である。
【図１５】本考案の更にもう一つの実施例による組み合わせ断面図（２）である。
【図１６】本考案のトルク装置の立体分解図である。
【図１７】図１６の組み合わせ断面図である。
【図１８】図１６のトルク装置と伝動工具の組み合わせ断面図である。
【図１９】本考案の軸棒と軸体の分解立体図である。
【図２０】図１６の使用状態断面図である。
【考案を実施するための形態】
【０００７】
図３〜図５で示されるように、本考案は、中空スリーブ３０、二リング４０、４０’、弾性素子５０、および、軸体６０、スチールボール６１、からなり、スリーブ３０は内壁両側に、それぞれ、大きい径の定位環壁３１、および、係制環壁３２を凸設する。定位環壁３１と係制環壁３２間に、両端が停止壁３３１を有する容置槽３３を凹設し、係制環壁３２の内壁面所定箇所に環槽３２１を凹設し、辺縁に沿って導縁３２２を形成する。軸体６０は、内部が六角形の枢孔を有し、軸体６０の外環の適当な箇所に、適段で、且つ、両端に、停止壁６２１を有する導環段６２を凹設する。導環段６２は両側にそれぞれ、枢設部６３、６４を形成し、枢設部６４の環面の適当な箇所に、円弧状の伸縮孔６４１を凹設して、スチールボール６１を容置し、二リング４０、４０’、および、弾性素子５０が軸体６０の導環段６２に抵接すると共に、スリーブ３０と軸体６０を枢接し、容置槽３３と導環段６２が制限空間を形成し、両リング４０、４０’はそれぞれ、容置槽３３と導環段６２の両端の停止壁３３１、６２１に抵接し、弾性素子５０を挟設して、軸体６０が弾性素子５０と両リング４０、４０’の制限空間内の制限弾力を受けて、スリーブ３０中で伸縮する。スリーブ３０の係制環壁３２に凹設された環槽３２１と軸体６０に容置されたスチールボール６１の伸縮孔６４１により、ドライバ７０の挿入や抜き取りを受け、環槽３２１に推入するか、或いは、導縁３２２に沿って容置槽３３に進入して、係制や双方向の抜き取り設計を形成し、カプラーの使用上の便利性、快速性を大幅に向上させ、且つ、構成素子が更に簡潔で、組み立て時間とコストを減少させる。
【０００８】
図６、図７で示されるように、スリーブ３０‘の係制環壁３２は、容置槽３３の内壁と平坦状にして、容槽３０１を形成し、筒状のスリーブ３４を挿入することができる。スリーブ３４と容槽３０１は相対位置にそれぞれ、凸リブ３４１と凹孔３０２を環設し、スリーブ３４の内壁面の適当な箇所に二環槽３４２、３４３を凹設し、二環槽３４２、３４３は共に半弧槽状をなし、スリーブ３４の凸リブ３４１と容槽３０１の凹孔３０２が係制して、スリーブ３０’中で固定されて一体になる。二リング４０、４０’、および、弾性素子５０を設置する軸体６０とスリーブ３４を内設したスリーブ３０’は枢接され、ドライバー７０の挿入や係制からの円滑な脱離、または、双方向の抜き出しが可能な快速継ぎ手を形成する（図８で示される）。
【０００９】
図９で示されるように、軸体６０’は一側内部の所定箇所に、導斜停止辺６５１を設置して、容置室６５を形成すると共に、復位弾性素子６６、固定ピン６７、および、軸スリーブ６８を利用し、固定ピン６７は一側の端縁に導斜面６７１を設置し、軸スリーブ６８の両側はそれぞれ、頭部６８２を有する定位槽段６８１、および、磁性吸着する定位部６８３を有し、定位部６８３の端縁は導斜辺６８４を有し、丁度、軸体６０’の伸縮孔６４１下方に位置し、復位弾性素子６６を軸スリーブ６８の定位槽段６８１中に設置すると共に、軸体６０’の容置室６５内に挿入され、固定ピン６７と固定され、固定ピン６７の導斜面６７１が容置室６５の導斜停止辺６５１に抵接し、軸スリーブ６８の頭部６８２が固定ピン６７の定位を受けて、軸体６０’で伸縮し、図１０のように、使用上、各種工具棒７０’を接続する時、軸体６０’内の軸スリーブ６８が末端に磁性吸着する導斜辺６８４を有する定位部６８３を設置し、伸縮孔６４１下方に位置する設計により、工具棒７０’の端縁辺、および、定位部６８３の導斜辺６８４が丁度、伸縮孔６４１と相対して、スチールボール６１を置設する容置空間を形成し、工具棒７０’を軸体６０’に挿入して、定位部６８３に吸着するか、或いは、復位弾性素子６６と定位槽段６８１に沿って弾性作用を形成し、内向けの係制状態を形成し（図１１で示される）、快速継ぎ手が各式工具棒７０’、或いは、ドライバ７０の係制、或いは、引き抜きに使用されても、最適の使用状態を達成する（図１２で示される）。
【００１０】
図１３で示されるように、軸体６０は一側にスロット６０１とC字型リング６０２を環設し、弾性素子５０を推し、軸体６０がスリーブ３４中で双方向に作動するとき、各種ドライバ７０、或いは、工具棒７０’を円滑に係制したり、抜いたりすることができる。
【００１１】
図１４、図１５で示されるように、スリーブ３４’は内壁面の適当な箇所に環槽３４２’を凹設し、外向けに斜面状の回避槽３４３’を形成し、リング６０２を有する軸体６０がスリーブ３４中で双方向に作動する時、丁度、スチールボール６１を容設する伸縮孔６４１が環槽３４２’、或いは、回避槽３４３’中で制限され、各種ドライバ７０、或いは、工具棒７０’の係制、或いは、引き出しできる快速継ぎ手を形成する。
【００１２】
図１６、図１７で示されるように、軸体６０は、トルク装置８０と使用することができ、トルク装置８０は、殻座８１、軸棒８２、ローター８３、定位素子８４、および、蓋８５、からなる。殻座８１の一側中心に六角形の接続棒８１１を延設し、伝動工具９０の六角口９１を定位する（図１８で示される）。中心に凸柱８１３を有する容置槽８１２と、軸棒８２の一側に凹孔８２２を有する推動ブロック８２１が枢接し、容置槽８１２の外周は接続ブロック８１４と制限口８１５を有する。接続ブロック８１４の辺縁はスロット８１４１を凹設し、軸棒８２のもう一側は軸体６０を結合し、図１９で示されるように、ローター８３は一側に弧形ブロック８３１、および、制限口８３２を設置し、もう一側は端縁に沿って、導辺８３４を設置する凸部８３３を有し、中心に推動空間８３５を形成し、且つ、中心はスリーブ孔８３６と軸棒８２を設置して、推動ブロック８２１上に抵設し、定位素子８４は一側にスロット８４１１を有する翼部８４１を設置し、もう一側はスロット８４２１を有する環段８４２を延伸し、中心にスリーブ孔８４３を有して軸棒８２と接続し、定位素子８４の両翼部８４１がローター８３の両制限口８３２で制限されると共に、両弧形ブロック８３１辺に抵止し、殻座８１の容置槽８１２中に置設され、翼部８４１のスロット８４１１が接続ブロック８１４のスロット８１４１と接続し、C字型リング８７により定位され、ローター８３が殻座８１と定位素子８４間で定位する。定位素子８４とローター８３間は弾性素子８６を設置し、ローター８３の両ブロック８３１が弾性素子８３の弾性作用を受けて、容置槽８１２外へ突出し、蓋８５は内壁両側に回避槽８５１を有して、ローター８３のブロック831を回避し、且つ、蓋８５中心はスリーブ孔８５２を設置して、軸棒８２と殻座８１が結合し、且つ、定位素子８４の環段８４２が蓋８５のスリーブ孔８５２から突出して、C字型リング８７’と共に、スロット８４２１中に設置されて定位する。トルク装置８０が伝動工具９０上に設置されて、軸体６０と各種ドライバ７０が固定作業を実行する（図２０で示される）時、軸棒８２の推動ブロック８２１は弾性素子８６の作用下で、ローター８３の推動空間８３５中で制限され、ドライバ７０が伝動工具９０の高速回転の作用下で障害物に遭ったり、固定作業を継続する時、軸棒８２が後ろ向けの作用を生成して、弾性素子８６が推動ブロック８２１を推し、推動ブロック８２１が推動空間８３５中で、弾性素子８６の弾力を受けて、導辺８３４に沿って、凸部８３３に滑移して、連続空転状態を生成し、ドライバ７０が伝動工具９０の瞬間トルクを受けることによる変形、或いは、損壊の状況を防止し、空転防止の効果を達成する。
【符号の説明】
【００１３】
30、30'  スリーブ
301      容槽
302      凹孔
31       定位環壁
32       係制環壁
321      環槽
322      導縁
33       容置槽
331      停止壁
34       スリーブ
341      凸リブ
342、343   環槽
342'     環槽
343'     回避槽
40、40'   リング
50       弾性素子
60、60'   軸体
601     スロット
602     リング
61      スチールボール
641     伸縮孔
62      導環段
621     停止壁
63、64   枢接部
65      容置室
651     導斜停止辺
66      復位弾性素子
67      固定ピン
671     導斜面
68      軸スリーブ
681      定位槽段
682      頭部
683      定位部
684      導斜辺
70       ドライバ
70'      工具棒
80       ねじれ裝置
81       殼座
811      接続棒
812      容置槽
813      凸柱
814      接続ブロック
8141     スロット
815      制限口
82       軸棒
821      推動ブロック
822      凹孔
83       ローター
831      弧形ブロック
832      制限口
833      凸部
834      導辺
835      推動空間
836      スリーブ孔
84       定位素子
841      翼部
8411     スロット
842      環段
8421     スロット
843      スリーブ孔
85       蓋
852      スリーブ孔
851      回避槽
86       弾性素子
87、87'  リング
90       伝動工具
91       六角口
【図１】
0003151636.tif 000003
【図２】
0003151636.tif 000004
【図３】
0003151636.tif 000005
【図４】
0003151636.tif 000006
【図５】
0003151636.tif 000007
【図６】
0003151636.tif 000008
【図７】
0003151636.tif 000009
【図８】
0003151636.tif 000010
【図９】
0003151636.tif 000011
【図１０】
0003151636.tif 000012
【図１１】
0003151636.tif 000013
【図１２】
0003151636.tif 000014
【図１３】
0003151636.tif 000015
【図１４】
0003151636.tif 000016
【図１５】
0003151636.tif 000017
【図１６】
0003151636.tif 000018
【図１７】
0003151636.tif 000019
【図１８】
0003151636.tif 000020
【図１９】
0003151636.tif 000021
【図２０】
0003151636.tif 000022